(57)【要約】【課題】  密着性、気密性に優れ、抜け止め防止が可能な接続装置を提供すること。【解決手段】  接続対象物５１,６１間を接続する接続部材１１と、該接続部材１１を保持するハウジング２１とを有し、前記接続部材１１は、一方の接続対象物５１が挿入される第１の挿入部１３と、他方の接続対象物６１が挿入される第２の挿入部１５とを有し、前記ハウジング２１は前記接続部材１１を収容する収容部２５,２６を有し、該収容部２５,２６は前記第１及び第２の挿入部１３，１５とを押圧して保持する押圧部２５ａ，２６ａを有する。【選択図】  図１
2007113758.tif 000002
【特許請求の範囲】
【請求項１】
２つの接続対象物間を接続する接続装置において、
接続部材と、該接続部材を保持するハウジングとを有し、
前記接続部材は、一方の前記接続対象物が挿入される第１の挿入部と、他方の前記接続対象物が挿入される第２の挿入部と、前記第１の挿入部と前記第２の挿入部とを連結する連結部とを有し、
前記ハウジングは、前記接続部材を収容する収容部を有し、該収容部は、前記接続対象物間を接続する際に、少なくとも前記接続対象物が挿入される側の前記第１の挿入部と前記第２の挿入部とのそれぞれを押圧して保持する押圧部を有することを特徴とする接続装置。
【請求項２】
前記ハウジングは、２つに分割された一方のハウジング部及び他方のハウジング部とからなり、一方の前記ハウジング部と他方の前記ハウジング部とがヒンジ部によってヒンジ結合されていることを特徴とする請求項１記載の接続装置。
【請求項３】
一方の前記接続対象物が挿入される前記第１の挿入部と、他方の前記接続対象物が挿入される前記第２の挿入部とは、それぞれ径寸法が異なることを特徴とする請求項１記載の接続装置。
【請求項４】
前記第１の挿入部は、前記連結部から先端へ向かって先細りとなる円錐形状の第１の当接面を有し、前記第２の挿入部は、前記連結部から前記第１の当接面とは逆方向で先端へ向かって先細りとなる円錐形状の第２の当接面とを有していることを特徴とする請求項１記載の接続装置。
【発明の詳細な説明】
【技術分野】
【０００１】
本発明は、２つの接続対象物間を連結する接続部材を有する接続装置に関するものである。
【背景技術】
【０００２】
従来技術１としては、管の一方が接続されるコネクタハウジングと、管の他方が連結され、コネクタハウジングに挿入されるコネクタパイプとで構成される管接続用コネクタがある。
【０００３】
コネクタパイプの外周には、直径方向に対向して配置された１対の凸状リブと、この１対の凸状リブを結ぶ直径方向に対してほぼ直交する１つの方向に配置された係合突起とを形成する。コネクタハウジングには、凸状リブが挿入されるガイド溝と、係合突起が係合する係合孔を有する弾性変形可能な１つの係合片とを形成している（例えば、特許文献１を参照）。
【０００４】
従来技術２としては、液体容器の壁に形成したリード線導出孔にリード線保持部を液密固定し、リード線保持部材に形成した挿通孔に複数本の芯線と絶縁被覆とからなるリード線を挿通し、挿通箇所に隣接したリード線に絶縁被覆剥離部を設け、絶縁被覆剥離部をリード線保持部材に形成した収容室に収容して、収容部内に充填材を充填してなる液体容器の位置決めからのリード線の導出構造がある。
【０００５】
リード線の外周には、弾性材料により封止材をモールド形成し、封止体の外周に突出した環状シール部を挿通孔の内周に圧接した状態で挿通孔内に封止体を圧入した液体容器の位置決めからのリード線の導出構造である（例えば、特許文献２を参照）。
【０００６】
【特許文献１】特開２００４−１９７８１号公報
【特許文献２】特開平６−２１５８１６号公報
【発明の開示】
【発明が解決しようとする課題】
【０００７】
特許文献１は、コネクタパイプの外周に１対の凸状リブや係合突起を形成し、コネクタハウジングには、凸状リブが挿入されるガイド溝や係合突起が係合する係合孔を有する弾性変形可能な係合片とを形成しているので、複雑な構成となり、しかも管接続が簡単にできないという問題がある。
【０００８】
特許文献２は、絶縁被覆剥離部をリード線保持部材に形成した収容室に収容して、収容部内に充填材を充填し、リード線の外周に弾性材料により封止材をモールド形成し、封止体の外周に突出した環状シール部を挿通孔の内周に圧接した状態で挿通孔内に封止体を圧入するという複雑な作業と多くの部品や材料を必要とするという問題がある。
【０００９】
それ故に、本発明の課題は、接続部材及び接続対象物の抜け止めを確実に防止できる接続装置を提供することにある。
【００１０】
また、本発明の他の課題は、異なる径の２つの接続対処物を容易に連結することが可能であり、接続対象物間をなだらかな同一面で繋ぐことによって接続対象物間に均一な流れを作ることができ、かつ密着性、気密性に優れた連結が可能となる接続装置を提供することにある。
【課題を解決するための手段】
【００１１】
本発明は、２つの接続対象物間を接続する接続装置において、接続部材と、該接続部材を保持するハウジングとを有し、前記接続部材は、一方の前記接続対象物が挿入される第１の挿入部と、他方の前記接続対象物が挿入される第２の挿入部と、前記第１の挿入部と前記第２の挿入部とを連結する連結部とを有し、前記ハウジングは、前記接続部材を収容する収容部を有し、該収容部は、前記接続対象物間を接続する際に、少なくとも前記接続対象物が挿入される側の前記第１の挿入部と前記第２の挿入部とのそれぞれを押圧して保持する押圧部を有することを特徴とする接続装置であることを最も主要な特徴とする。
【発明の効果】
【００１２】
本発明の接続装置によれば、収容部は接続対象物間を接続する際に、少なくとも接続対象物が挿入される側の第１の挿入部と第２の挿入部とのそれぞれを押圧して保持する押圧部を有するので、異なる径の２つの接続対象物を容易に連結することが可能となる。
【００１３】
また、接続装置は、連結した接続対象物間をなだらかな同一面で繋ぐことによってデッドボリュームがなく、接続対象物間に均一な流れを作ることができ、かつ密着性、気密性に優れた連結が可能となるという利点がある。
【発明を実施するための最良の形態】
【００１４】
本発明の接続装置は、２つの接続対象物間を接続する接続装置において、接続部材と、該接続部材を保持するハウジングとを有し、前記接続部材は、一方の前記接続対象物が挿入される第１の挿入部と、他方の前記接続対象物が挿入される第２の挿入部と、前記第１の挿入部と前記第２の挿入部とを連結する連結部とを有し、前記ハウジングは、前記接続部材を収容する収容部を有し、該収容部は、前記接続対象物間を接続する際に、少なくとも前記接続対象物が挿入される側の前記第１の挿入部と前記第２の挿入部とのそれぞれを押圧して保持する押圧部を有することにより実現した。
【実施例１】
【００１５】
図１は、本発明に係る接続装置の実施例１を示している。図２は、図１に示した接続装置を分解した状態を示している。図３は、図１に示した接続部材を分解した状態を示している。
【００１６】
図１及び図３を参照して、接続装置は、ゴムのような弾性体である接続部材１１と、接続部材１１を保持する第１のハウジング２１及び第２のハウジング２３とを有している。
【００１７】
接続部材１１は、図３に示した一軸線Ｘ方向の一方へ延びている第１の挿入部１３と、第１の挿入部１３に連結されて一軸線Ｘ方向の他方へ延びている第２の挿入部１５と、第１の挿入部１３及び第２の挿入部１５間を連結している連結部１７とを有している。
【００１８】
接続部材１１は、２つの接続対象物５１，６１を相互に接続するものである。なお、実施例１における２つの接続対象物５１，６１はいずれも液体を送るチューブであり、一方の接続対象物５１の径寸法よりも他方の接続対象物６１の径寸法が大きい径寸法としている。即ち、２つの接続対象物５１，６１は、互いに径寸法が異なっている。
【００１９】
第１の挿入部１３には、一方の接続対象物５１の端部を挿入して保持する第１の貫通孔１３ａが形成されている。第２の挿入部１５には、第１の挿入部１３の径寸法よりも大きい他方の接続対象物６１の端部を挿入して保持する第２の貫通孔１５ａと、第１及び第２の貫通孔１３ａ、１５ａを連結している中空の連結孔１７ａとが形成されている。第１及び第２の貫通孔１３ａ、１５ａは一軸線Ｘに沿って位置している。
【００２０】
第１の挿入部１３の外周面は、連結部１７から一軸線Ｘ方向の先端へ向かって先細りとなるテーパー形状の円錐形状面となっており、この円錐形状面を第１の当接面１３ｄとしている。第２の挿入部１５の外周面は、連結部１７から第１の当接面１３ｄとは逆方向で一軸線Ｘ方向の先端へ向かって先細りとなるテーパー形状の円錐形状面となっており、この円錐形状面を第２の当接面１５ｄとしている。第１及び第２の挿入部１３，１５には、第１及び第２の当接面１３ｄ、１５ｄが第１及び第２の貫通孔１３ａ,１５ａと同心円状になるよう形成されている。第１及び第２の当接面１３ｄ、１５ｄは、互いに径寸法が異なっている。
【００２１】
第１のハウジング２１は、第１の挿入部１３の第１の当接面１３ｄを押圧して保持する凹形状の第１の収容部２５と、一方の接続対象物５１の中間部分を挿通する第１の挿通部２７とを有している。第２のハウジング２３は、第２の挿入部１５の第２の当接面１５ｄを押圧して保持する凹形状の第２の収容部２６と、他方の接続対象物６１を挿通する第２の挿通部２８とを有している。
【００２２】
第１の収容部２５は、接続部材１１によって接続対象物５１，６１間を接続する際に、接続対象物５１が挿入される側の第１の挿入部１３を押圧して保持する第１の押圧部２５ａと、第１の挿入部１３の先端面に対向する第１の対向面２５ｂとを有する。
【００２３】
第２の収容部２６は、接続部材１１によって接続対象物５１,６１間を接続する際に、接続対象物６１が挿入される側の第２の挿入部１５を押圧して保持する第２の押圧部２６ａと、第２の挿入部１５の先端面に対向する第２の対向面２６ｂとを有する。
【００２４】
さらに、第１のハウジング２１には、連結部１７の外周面に形成されている外周段差部１９に対向する端面２９が形成されている。第２のハウジング２３は、第２の挿入部１５の第２の当接面１５ｄを押圧して保持する凹形状の第２の収容部２６と、一方の接続対象物５１の中間部分を挿通する第１の挿通部２７と、他方の接続対象物６１を挿通する第２の挿通部２８と有している。
【００２５】
以下に、接続装置を用いて接続対象物５１，６１を接続する作業について説明する。接続部材１１には、接続対象物５１，６１の中間部分を第１及び第２のハウジング２１，２３の第１及び第２の挿通部２７，２８にそれぞれ挿入しておき、第１の接続対象物５１，６１の先端部分を第１及び第２の貫通孔１３ａ,１５ａのそれぞれに少し挿入しておく。
【００２６】
その後、一方の接続対象物５１は、一軸線Ｘを直交する連結孔１７ａの壁面１７ｃに一方の接続対象物５１の先端が当たるまで挿入する。また、他方の接続対象物６１は先端が一軸線Ｘを直交する連結孔１７ａの壁面１７ｄに先端が当たるまで挿入する。なお、第１及び第２の収容部２５,２６には、図３に示したように、接続部材１１に予め接続対象物５１，６１を挿入したものを置くようにしてもよい。
【００２７】
そして、第１及び第２のハウジング２１，２３は、互いに近づく向きに移動させてロック機構３３ａ，３３ｂによってロックさせる。この際、第１のハウジング２１の端面２９は、接続部材１１の外周段差部１９に当接する。
【００２８】
第１及び第２のハウジング２１，２３をロックさせるロック機構３３ａ，３３ｂは、第１のハウジング２１の外周面から突出するように形成した一対の突部３３ａと、第２のハウジング２３の内壁面に形成されている一対の孔部３３ｂとからなる。第１のハウジング２１と第２のハウジング２３が合わさった時には、一軸線Ｘに対して垂直方向でロックする孔部３３ｂと凸部３３ａとが係合する。
【００２９】
第１及び第２の収容部２５，２６の第１及び第２の押圧部２５ａ，２６ａは、接続部材１１の第１及び第２の当接部１３ｄ，１５ｄを押圧するので、第１及び第２の挿入部１３，１５を一軸線Ｘ上へ圧縮する。連結部１７の外周面と、第１及び第２の収容部２５，２６の端面２９付近の内面との間には、空間Ｓ（図１を参照）をもっており、第１及び第２の当接部２５ａ，２６ａによる押圧を逃げる役目を果たしている。したがって、接続部材１１の第１及び第２の当接部１３ｄ，１５ｄには、一軸線Ｘ方向に対して垂直方向から均一な外力を加えることが可能である。
【００３０】
なお、第１及び第２の収容部は、例えば、接続部材１１の外形寸法より、０．０２ｍｍ〜０．０４ｍｍ程度小さい寸法の径寸法に形成する。接続部材１１が接続対象物５１，６１の一軸線Ｘに向かって圧縮された場合には、第１及び第２の収容部２５，２６の径寸法が接続部材１１の第1及び第２挿入部1３，１５の径寸法よりも小さいので接続対象物５１，６１の外形に密着して気密性を保つことができる。
【００３１】
２つの異なる接続部材５１，６１を挿入するための第１及び第２の貫通孔１３ａ,１５ａは、接続対象物５１，６１の内径に合わせた径によってなだらかなかつ同一面で繋がっていることでデッドボリュームのない状態を可能とする。
【００３２】
また、第１及び第２の収容部２５，２６の第１及び第２の押圧部２５ａ，２６ｂは、接続部材１１の第1及び第２の当接部１３ｄ、１５ｄに対して垂直に均一の力で接続部材１１を圧縮する。第1及び第２の当接部１３ｄ、１５ｄは、連結部１７を除く部分のそれぞれに力が掛かるので、接続対象物５１，６１の抜け防止が可能となる。
【実施例２】
【００３３】
図４は、本発明に係る接続装置の実施例２を示している。なお、実施例２では、図１乃至図３によって説明した実施例１の接続部材１１と同じ構成であるため、説明を一部の説明を除き説明を省略する。
【００３４】
図４を参照して、接続装置は、接続部材１１と、接続部材１１を保持するハウジング１２１とを有している。ハウジング１２１は、第１の挿入部１３の第１の当接面１３ｄを押圧して保持する凹形状の第１の収容部１２５と、第２の挿入部１５の第２の当接面１５ｄを押圧して保持する凹形状の第２の収容部１２６と、一方の接続対象物５１の中間部分を挿通する第１の挿通部１２７と、他方の接続対象物６１を挿通する第２の挿通部１２８と有している。
【００３５】
第１の収容部１２５は、接続部材１１によって接続対象物５１，６１間を接続する際に、接続対象物５１が挿入される側の第１の挿入部１３を押圧して保持する第１の押圧部１２５ａと、第１の挿入部１３の先端面に対向する第１の対向面１２５ｂとを有する。
【００３６】
第２の収容部１２６は、接続部材１１によって接続対象物５１,６１間を接続する際に、接続対象物６１が挿入される側の第２の挿入部１５を押圧して保持する第２の押圧部１２６ａと、第２の挿入部１５の先端面に対向する第２の対向面１２６ｂとを有する。
【００３７】
さらに、第１及び第２の収容部１２５，１２６の第１及び第２の押圧部１２５ａ、２６ａの一軸線Ｘ方向には、第１及び第２の押圧部１２５ａ、１２６ａの間に一軸線Ｘを直交する方向に段差壁部１２９が形成されている。段差壁部１２９には、接続部材１１によって接続対象物５１,６１間を接続する際に、第１及び第２の挿入部１３，１５を連結している連結部１７の外周面に形成されている外周段差部１９に対向する。
【００３８】
ハウジング１２１は、一軸線Ｘを含む仮想平面で２つに分割された一方のハウジング部１２１ａと他方のハウジング部１２１ｂとからなり、一方のハウジング部１２１ａと他方のハウジング部１２１ｂとが互いに対向している一軸線Ｘに平行な一辺同士がヒンジ部１３１によってヒンジ結合されている。ヒンジ部１３１によって結合されている２つ割れのハウジング部１２１ａ，１２１ｂには、ヒンジ部１３１を中心として接続部材１１を包み込むように互いに第１及び第２の収容部１２５，１２６を折り返し合わせたときにロックするロック機構としてのロック部１３３ａ，１３３ｂが設けられている。
【００３９】
一方のロック部１３３ａは、ヒンジ部１３１を接続し一辺と対向する側の一辺で一方のハウジング部１２１ａの第１の収容部１２５，１２６を形成した面から立ち上がっている壁部１３４の内面に形成されてる凹部分である。他方のロック部１３３ａは、ヒンジ部１３１を接続し一辺と対向する側の一辺で他方のハウジング部１２１ｂの第１の収容部１２５，１２６を形成した面から立ち上がっている壁部１３５の内面から突出している凸部分である。凹凸部分は、壁部１３４，１３５同士が対向したときに係合してロック状態となる。
【００４０】
以下に、接続装置を用いて接続対象物５１，６１を接続する作業について説明する。接続部材１１は、２つ割れのハウジング部１２１ａ，１２１ｂがヒンジ部１３１を介して開いている状態において一方側のハウジング部１２１ａの第１及び第２の収容部１２５,１２６に置かれる。
【００４１】
次に、接続部材１１の第１の挿入部１３に形成されている第１の挿通部１３ａ一方の接続対象物５１の先端部を挿入する。接続部材１１には、一軸線Ｘを直交する連結孔１７ａの壁面１７ｃに一方の接続対象物５１の先端が当たるまで挿入する。この際、一方の接続対象物５１の先端部から延びている中間部分を第１の挿通部１２７に置く。
【００４２】
また、接続部材１１の第２の挿入部１５に形成されている第２の挿通部１１５ａ他方の接続対象物６１の先端部を挿入する。接続部材１１には、一軸線Ｘを直交する連結孔１７ａの壁面１７ｄに他方の接続対象物６１の先端が当たるまで挿入する。この際、他方の接続対象物６１の先端部から延びている中間部分を第２の挿通部１２８に置く。なお、第１及び第２の収容部１２５,１２６には、接続部材１１に予め接続対象物５１，６１を挿入したものを置くようにしてもよい。
【００４３】
この状態において、もう一方側のハウジング部１２１ｂを一方側のハウジング部１２１ａへヒンジ部１３１を介して折り返し、接続部材１１を包み込むようにする。この際、第１及び第２の収容部１２５，１２６の第１及び第２の押圧部１２５ａ，１２６ａは、接続部材１１の第１及び第２の当接部１３ｄ，１５ｄを押圧するので、第１及び第２の挿入部１３，１５を一軸線Ｘ上へ圧縮する。連結部１７の外周面と、第１及び第２の収容部１２５，１２６の段差壁部１２９ｆ付近の内面との間には、空間Ｓ（図１を参照）をもっており、第１及び第２の当接部１２５ａ，１２６ａによる押圧を逃げる役目を果たしている。
【００４４】
接続部材１１の第１及び第２の当接部１３ｄ，１５ｄには、一軸線Ｘ方向に対して垂直方向からハウジング部１２１ａとハウジング部１２１ｂとを閉じることにより、均一な外力を加えることが可能である。
【００４５】
なお、第１及び第２の収容部は、例えば、接続部材１１の外形寸法より、０．０２ｍｍ〜０．０４ｍｍ程度小さい寸法の径寸法に形成する。接続部材１１が接続対象物５１，６１の一軸線Ｘに向かって圧縮された場合には、第１及び第２の収容部１２５，１２６の径寸法が接続部材１１の第1及び第２挿入部1３，１５の径寸法よりも小さいので接続対象物５１，６１の外形に密着して気密性を保つことができる。
【００４６】
ロック機構１３３は、一方側のハウジング部１２１と他方側のハウジング部１２１ｂが合わさった時に、接続対象物５１，６１を接続する一軸線Ｘに対して垂直方向でロックする。
【００４７】
したがって、ハウジング１２１は、ヒンジ部１３１を介して内側に折り返すことによって最終的にロック機構によってロックされて筒状になり、ロック１３３ａ，１３３ｂの凹凸関係でロックができ、一方側のハウジング部１２１ａと他方側のハウジング部１２１ｂを開く方向へ操作すれば解除も容易にできるので接続部材１１を着脱可能になすことができる。
【００４８】
したがって、接続しようとする接続対象物５１，６１を第１及び第２の挿入部１３，１５に挿入し、ロック機構１３３によって２つ割れのハウジング部１２１ａ、１２１ｂをワンタッチで容易に連結することができる。また、接続装置は、密着性、気密性を保つことが可能となる。
【００４９】
接続部材１１の両端には、２つの異なる接続部材５１，６１を挿入するための第１及び第２の貫通孔１３ａ,１５ａは、接続対象物５１，６１の内径に合わせた径によってなだらかなかつ同一面で繋がっていることでデッドボリュームのない状態を可能とする。
【００５０】
また、第１及び第２の収容部１２５，１２６の第１及び第２の押圧部１２５ａ，１２６ｂは、接続部材１１の第1及び第２の当接部１３ｄ、１５ｄに対して垂直に均一の力で接続部材１１を圧縮する。第1及び第２の当接部１３ｄ、１５ｄは、連結部１７を除く部分のそれぞれに力が掛かるので、接続対象物５１，６１の抜け防止が可能となる。なお、第１及び第２の挿通部１２７，１２８は、図４において角形に形成されているが、丸形であってもよい。
【実施例３】
【００５１】
図５は、接続装置における接続部材１１の実施例２を示している。なお、図１乃至図３によって説明した接続部材１１と同じ部分は同じ符合を付して説明を省略する。
【００５２】
図５を参照して、接続部材１１は、第１の挿入部１３の第１の当接面１３ｄと第２の挿入部１５ｄの第１の当接面１５ａに円周方向に複数の環状のリブ１３ｆ，１５ｆが配設されている。複数のリブ１３ｆ，１５ｆは、一軸線Ｘ方向で互いに間隔をもって配設されている。
【００５３】
この接続部材１１では、実施例１及び実施例２によって説明した第１及び第２の収容部２５，２６又は１２５，１２６にリブ１３ｆ，１５ｆを介して第１及び第２の当接面１３ｄ，１５ｄを押圧するので、第１及び第２の挿入部１３，１５を一軸線Ｘへ圧縮するので、均一な外力を加えることが可能である。
【実施例４】
【００５４】
図６は、接続部材１１の実施例４を示している。なお、図１乃至図４によって説明した接続部材１１と同じ部分は同じ符合を付して説明を省略する。
【００５５】
図６を参照して、接続部材１１は、第１の挿入部１３の第１の当接面１３ａに円周方向に環状溝１３ｇが配設されている。環状溝１３ｇは、一軸線Ｘ方向で互いに間隔をもって複数配設してもよい。
【００５６】
この接続部材１１では、実施例１及び実施例２によって説明した第１及び第２の収容部２５，２６又は１２５，１２６により環状溝１３ｇ以外の部分の第１の当接面１３ｄを押圧するので、第１の挿入部１３を一軸線Ｘ上へ圧縮する。したがって、第１及び第２の挿入部１３，１５は、一軸線Ｘへ圧縮されるので均一な外力を加えることが可能である。
【００５７】
なお、実施例４では、第１の挿入部１３の第１の当接面１３ｄに円周方向に環状溝１３ｇが配設されている例を説明したが、第２の挿入部１５の第２の当接面１５ｄに円周方向に環状溝を配設するようにしてもよい。
【００５８】
また、実施例３及び実施例４では、接続部材１１にリブ１３ｆ，１５ｆ又は環状溝１３ｇを設けたが、ハウジング２１，２３、１２１の第１の収容部２５，１２５及び第２の収容部２６，１２６にリブ又は環状溝を設けてもよい。なお、ハウジング２１，２３、１２１にリブ又は環状溝を設けた場合には、接続部材１１に設けた場合と同等の効果が得られる。
【産業上の利用可能性】
【００５９】
本発明は、接続対象物として自動車の燃料配管用のチューブなどを接続するために用いる管接続用コネクタ、車両用トランスミッションケースなどの液体容器内からソレノイド作動用のワイヤーハーネスや各種センサーのリード線などを導出する場合のリード線の導出構造としての用途にも適用できる。
【図面の簡単な説明】
【００６０】
【図１】本発明に係る接続装置の実施例１を示す断面図である。
【図２】図１に示した接続装置の接続部材及び接続対象物の接続状態、及びハウジングを分解して示した状態を示す断面図である。
【図３】図１に示した接続部材と接続対象物を分解して示した斜視図である。
【図４】本発明に係る接続装置の実施例２を示す斜視図である。
【図５】本発明に係る接続装置の実施例３を示しており、接続部材の側面図である。
【図６】本発明に係る接続装置の実施例４を示しており、接続部材の斜視図である。
【符号の説明】
【００６１】
１１    接続部材
１３    第１の挿入部
１３ａ    第１の貫通孔
１３ｄ    第１の当接面
１３ｆ，１５ｆ    リブ
１３ｇ    環状溝
１５    第２の挿入部
１５ａ    第２の貫通孔
１５ｄ    第２の当接面
１７    連結部
１７ａ    連結孔
２１，２３，１２１    ハウジング
２５，１２５    第１の収容部
２５ａ，１２５ａ    第１の押圧部
２５ｂ，１２５ｂ    第１の対向面
２６、１２６    第２の収容部
２６ａ，１２６ａ    第２の押圧部
２６ｂ，１２６ｂ    第２の対向面
２７，１２７    第１の挿通部
２８，１２８    第２の挿通部
５１，６１    接続対象物
１２１ａ，１２１ｂ    ハウジング部
１２９    段差壁部
１３１    ヒンジ部
１３３ａ，１３３ｂ    ロック部
Ｘ    一軸線
【図１】
2007113758.tif 000003
【図２】
2007113758.tif 000004
【図３】
2007113758.tif 000005
【図４】
2007113758.tif 000006
【図５】
2007113758.tif 000007
【図６】
2007113758.tif 000008